(57)【要約】      （修正有）【課題】ホストマトリックスに埋め込まれた量子ドットの集団、ドットに選択された色の第２の光を放出させる第１の光源から成る電子デバイス、及びそのようなデバイスを提供する。【解決手段】量子ドットのサイズ分布は、そこから放出されるべき特定の色を可能にするために選択される。デバイスから放出された光は単色又は混合色（多色）のいずれでもよく、ドットから放出された光のみから成るか、又はドットから放出された光、及び第１の光源から放出された光の混合から成る。ドットは、ＣｄＳｅのようなドーピングされていない半導体から成るのが望ましく、光ルミネセンスを増加させるために任意に被覆できる。【選択図】図１
2014160863.tif 000002
【特許請求の範囲】
【請求項１】
第１の光源として機能するデバイスと、
ホストマトリクス中に分散した光輝性の量子ドットの集団であって、前記量子ドットの少なくとも一部が、前記光源によって生成される光の少なくとも一部のエネルギーよりも小さいバンドギャップエネルギーを有し、前記ホストマトリクスが前記光源からの光を透過させ、これにより、前記量子ドットにそのサイズの色特性の光ルミネセンス光を生成させることを特徴とする電子装置。
【請求項２】
前記量子ドットが前記ホストマトリクスに対して親和性を有するコーティングを備える請求項１に記載の電子装置。
【請求項３】
前記ホストマトリクスがポリマを含み、前記コーティングが関連するモノマを含む請求項２に記載の電子装置。
【請求項４】
第１の光源として機能するデバイスを用意することと、
ホストマトリクス中に分散した光輝性の量子ドットの集団を配置することであって、前記量子ドットの少なくとも一部が、前記光源によって生成される光の少なくとも一部のエネルギーよりも小さいバンドギャップエネルギーを有し、前記ホストマトリクスが前記光源からの光を透過させ、これにより、前記量子ドットにそのサイズの色特性の光ルミネセンス光を生成させること
を含む電子装置の製造方法。
【請求項５】
前記量子ドットが前記ホストマトリクスに対して親和性を有するコーティングを備える請求項４に記載の電子装置の製造方法。
【請求項６】
前記ホストマトリクスがポリマを含み、前記コーティングが関連するモノマを含む請求項５に記載の電子装置の製造方法。
【発明の詳細な説明】
【技術分野】
【０００１】
本発明は、発光ダイオード中の量子ドットの使用に関する。本発明は更に、注文通りの周波数スペクトルの光を放出する発光ダイオードに関する。
【背景技術】
【０００２】
発光ダイオード（ＬＥＤ）は、現代のディスプレイ技術で広く普及している。３００億個以上のチップが毎年生産され、自動車ライトや交通信号機のような新しい応用が成長を続けている。従来のダイオードは、無機化合物半導体（一般に、ＡｌＧａＡｓ（赤色）、ＡｌＧａＩｎＰ（オレンジイエロー色−緑色）、及びＡｌＧａＩｎＮ（緑色−青色））から作られる。これらのダイオードは、デバイスで使用される化合物半導体のバンドギャップに対応する周波数の単色光を放出する。従って、従来のＬＥＤは、白色光、又は混合周波数から成るどのような「混合された」色の光も全く放出できない。更に、半導体の化学的性質の優れた制御が必要なので、特定の所望する「純粋な」単一周波数色のＬＥＤ製造でさえ困難である。
【０００３】
混合色ＬＥＤ、及び特に白色ＬＥＤは、多くの潜在的応用を有する。赤色又は緑色ＬＥＤを現在有する多くのディスプレイでは、消費者はむしろ白色光を好む。白色ＬＥＤは、フルカラーディスプレイを製造するための、既存のカラーフィルタ技術を有する光源として使用できる。更に、白色ＬＥＤの使用は、赤色−緑色−青色ＬＥＤ技術よりも低いコスト及び単純な製造をもたらす。白色ＬＥＤを製造するための１つの技術が現在存在し、それは白色光を生成するために青色ＬＥＤを黄燐と組み合わせる。しかし、ＬＥＤ及び燐光体の色が変化させられないので、この技術に関して色調節は不十分である。この技術はまた、他の混合色の光を生成するために使用できない。
【０００４】
ポリ（フェニレン  ビニレン）（ＰＰＶ）のような光ルミネセンスポリマの誘導体を組み合わせることにより、白色又は着色ＬＥＤを製造することも提案された。提案された１つのデバイスはＧａＮ青色ＬＥＤ上のＰＰＶコーティングを含み、ＬＥＤからの光がＰＰＶに特有な色を刺激するので、観察された光はＬＥＤ及びＰＰＶに特有な色の混合から成る。しかし、有機材料は更に広いスペクトルで蛍光を発する傾向があるので、ＰＰＶをベースとするデバイスに対する理論的な最大量子効率は２５％であり、色調節は不十分なことが多い。更に、ＰＰＶは光、酸素、及び水により劣化するので、確実に製造することがより困難である。関連する方法は有機染料の薄膜で被覆されたＧａＮをベースにした青色ＬＥＤを使用するが、効率は低い（例えば、Guha他の「J. Appl Phys. 82(8):4126-4128, Oct. 1997; III-Vs Review 10(1):4, 1997」を参照）。  
【先行技術文献】
【非特許文献】
【０００５】
【非特許文献１】J. Appl Phys. 82(8):4126-4128, Oct. 1997; III-Vs Review 10(1):4, 1997
【発明の概要】
【発明が解決しようとする課題】
【０００６】
量子ドットの使用により変色ＬＥＤを生産することも提案されてきた。半径がバルク励起子ボーア半径より小さい半導体ナノクリスタリット(量子ドット)は、物質の分子形態とバルク形態の中間の材料のクラスから成る。３次元の電子及びホール双方の量子閉じ込めは、クリスタリットのサイズを伴う材料の有効なバンドギャップの増加を招く。従って、光学吸収及び量子ドットの放出の双方は、ドットのサイズが小さくなるにつれて青色（より高いエネルギー）にシフトする。例えば、ＣｄＳｅ量子ドットは、ドットの特定の色特性がドットのサイズのみに依存するどのような単色の可視色の光でも放出できることがわかっている。
【０００７】
量子ドットを取り入れた現在利用可能な発光ダイオード及び関連するデバイスは、半導体層上でエピタキシャルに成長したドットを使用する。この製造技術は赤外線ＬＥＤの製造には適切であるが、光エネルギー色のＬＥＤはこの方法では実現されていない。更に、現在利用可能な方法（分子線エピタキシ及び化学蒸着法（ＣＶＤ））によるエピタキシャルな成長の処理コストが極めて高い。ドットのコロイド的な製造は更に高価なプロセスであるが、これらのドットは一般に低い量子効率を示すことがわかっており、従って、かっては発光ダイオードに取り込むのに適切であるとは考えられなかった。
【０００８】
これらドットのエレクトロルミネセンスをＬＥＤに使用するためにコロイド的に製造された量子ドットを導電層内に埋め込むための提案がいくつかされてきたが、そのようなデバイスはこの方法によりＬＥＤを製造するための利用可能な材料を厳しく制限する透明で導電性のホストマトリックスを必要とする。利用可能なホストマトリックス材料はそれ自体が発光性であることが多く、そのことはこの方法を使用して実現可能な色を制限する。
【課題を解決するための手段】
【０００９】
１つの側面では、本発明は、光源、及びホストマトリックス中に配置された量子ドットの集団を含む電子デバイスから成る。量子ドットは、光源からの光の少なくとも一部のエネルギーよりも小さなバンドギャップにより特徴づけられる。マトリックスは、光源からの光が通過することを可能にする形状で配置される。ホストマトリックスが光源からの光に照射されたとき、その光は量子ドットに第２光ルミネセンス光を発生させる。この光の色は、量子ドットのサイズの関数である。
【００１０】
この側面の１実施例では、量子ドットはＣｄＳ、ＣｄＳｅ、ＣｄＴｅ、ＺｎＳ、又はＺｎＳｅから成り、ＺｎＳ、ＺｎＳｅ、ＣｄＳ、ＣｄＳｅ、ＣｄＴｅ、又はＭｇＳｅから成る材料で任意に被覆できる。量子ドットは更に、ホストマトリックスに対する親和性を有する材料で被覆されてもよい。ホストマトリックスはポリスチレン、ポリイミド、エポキシ、シリカグラス、又はシリカゲルのようなポリマでよい。第１の光源は発光ダイオード、レーザ、又は半導体紫外線源でよい。デバイスの色は量子ドットのサイズ分布により決定され、この分布は１つ又は複数の狭いピークを示す。例えば、量子ドットは、ドットのサイズにおいてせいぜい１０％の根平均２乗偏差を有するように選択できる。光は単色、又は純白を含む混合色である。
【００１１】
関連する側面では、本発明は上記のように電子デバイスを製造する方法から成る。この方法では、量子ドットの集団が提供され、これらのドットはホストマトリックス中で分散される。次に半導体光源がドットに光を当てるために提供され、それによりそれらサイズ分布の色特性の光ルミネセンス光をドットに発生させる。ドットは（即ち、沈殿及び／又は溶液からの成長により）コロイド的に製造されてもよく、ＣｄＳ、ＣｄＳｅ、ＣｄＴｅ、ＺｎＳ、又はＺｎＳｅから成ってもよい。ドットは更に、ＺｎＳ、ＺｎＳｅ、ＣｄＳ、ＣｄＳｅ、ＣｄＴｅ、又はＭｇＳｅから成る保護膜を含んでもよい。ホストマトリックスは、量子ドットが第１の光源により光を当てられる形状で分散できるどのような材料でもよい。ホストマトリックス材料のいくつかの実施例は、ポリスチレン、ポリイミド、エポキシ、シリカグラス、又はシリカゲルのようなポリマである。量子ドットに光ルミネセンスを発生させることができるどのような半導体光源も使用でき、いくつかの実施例は発光ダイオード、半導体レーザ、及び半導体紫外線源である。
【００１２】
デバイスにより生成された光の色を調整するために、量子ドットのサイズ分布を調整することが望ましい。１実施例では、ドットは半径においてせいぜい１０％の根平均２乗偏差を示す。光は単色（量子ドットの単分散サイズ分布に対応）、又は白色を含む混合色（量子ドットの多分散サイズ分布に対応）でよい。
【００１３】
更に他の側面では、本発明は量子ドットコロイドを含み、量子ドットは非導電性ホストマトリックス中に配置される。量子ドットは、ホストマトリックスに対する親和性を有する材料で被覆されてもよい。ドットのバンドギャップエネルギーよりも高いエネルギーの第１の光源により光を当てられたとき、量子ドットがそれらのサイズ分布の色特性で光ルミネセンスを発する。
【００１４】
１実施例では、ドットはＣｄＳ、ＣｄＳｅ、ＣｄＴｅ、ＺｎＳ、又はＺｎＳｅから成り、ＺｎＳ、ＺｎＳｅ、ＣｄＳ、ＣｄＳｅ、ＣｄＴｅ、又はＭｇＳｅから成る材料で任意に被覆できる。非導電性ホストマトリックスはポリスチレン、ポリイミド、又はエポキシ、シリカグラス、又はシリカゲルのようなポリマでよい。１実施例では、ドットはホストマトリックスのポリマ成分に関連するモノマで被覆される。ドットは、直径において１０％以下の根平均２乗偏差を示すサイズ分布を有するように選択でき、この実施例はドットに単色の光ルミネセンスを発生させる。
【００１５】
本発明の関連する側面は、プレポリマコロイドを含む。この側面では、本発明は液体又は半固体の前駆物質材料から成り、量子ドットの集団がその中に配置される。コロイドは、固体で透明な非導電性ホストマトリックスを形成するために、例えば重合により反応させることができる。量子ドットは、前駆物質材料に対する親和性を有する材料により被覆されてもよい。前駆物質材料はモノマでよく、モノマはポリマを形成するために反応させることができる。量子ドットはＣｄＳ、ＣｄＳｅ、ＣｄＴｅ、ＺｎＳ、又はＺｎＳｅから成り、ＺｎＳ、ＺｎＳｅ、ＣｄＳ、ＣｄＳｅ、ＣｄＴｅ、又はＭｇＳｅから成る材料で任意に被覆されてもよい。ドットは、直径において１０％以下の根平均２乗偏差を示すサイズ分布を有するように選択できる。
【００１６】
更に他の側面では、本発明は選択された色の光を生成する方法を含む。本発明の方法は、ホストマトリックス中に配置された量子ドットの集団を提供するステップ、及び量子ドットに光ルミネセンスを発生させるのに十分高いエネルギーを有する半導体光源でホストマトリックスを照射するステップから成る。量子ドットはＣｄＳ、ＣｄＳｅ、ＣｄＴｅ、ＺｎＳ、又はＺｎＳｅから成り、ＺｎＳ、ＺｎＳｅ、ＣｄＳ、ＣｄＳｅ、ＣｄＴｅ、又はＭｇＳｅから成るオーバーコーティングを更に有してもよい。ホストマトリックスは、ポリスチレン、ポリイミド、又はエポキシ、シリカグラス、又はシリカゲルのようなポリマから成ってもよい。
【００１７】
量子ドットを含むホストマトリックスは、（例えば、重合により）その中に配置された量子ドットを有する前駆物質材料を反応させることにより形成されてもよい。或いは、２つ又はそれ以上の前駆物質材料が提供されてもよく、各前駆物質材料はその中に配置された量子ドットの異なるサイズ分布を有する。これらの前駆物質はホストマトリックスを形成するために混合及び反応させられてもよく、或いは、異なる層で量子ドットの異なるサイズ分布を有するホストマトリックスを形成するために層状に重ねられてもよい。
【００１８】
ここで使用されるように、「コロイド的に成長させられた」量子ドットという表現は、沈殿及び／又は溶液からの成長により製造されたドットを意味する。基質上でエピタキシャルに成長させられたこれらドット及び量子ドットの間の区別は、コロイド的に成長させられたドットは実質的に一様な表面エネルギーを有し、一方、エピタキシャルに成長させられたドットは基質と接触する面上及びドット表面の残りの面上で異なる表面エネルギーを通常は有することである。
【００１９】
ここで使用されるように、「純粋な」又は「単色の」色という用語は、単一周波数の光から成る色を意味する。「混合された」又は「多色性の」色は、異なる周波数の混合である光から成る色を意味する。
【００２０】
ここで使用されるように、「モノマ」は材料科学の分野で既知の技術により重合できる物質であり、オリゴマをふくんでもよい。ポリマの「関連するモノマ」は、ポリマのモノマ成分、又はポリマ連鎖の主鎖に取り込むことができる化合物である。
【図面の簡単な説明】
【００２１】
【図１】本発明によるＬＥＤの１実施例を示す図である。
【図２】本発明によるＬＥＤの他の実施例を示す図である。
【図３】ヘキサン中の量子ドットのいくつかのサスペンションのカラー写真であり、本発明の方法により実現できる広い範囲の色を示す。
【発明を実施するための形態】
【００２２】
人間に可視である殆どの色のＬＥＤは、量子ドットのための単一のドープされていない半導体材料だけを使用して、本発明の技術により生産できる。本発明の実施例が、図１及び２に示されている。基本的に、本発明は、第１の光源１０（例えば、ＬＥＤ、半導体レーザ、又は微細加工された紫外線源）を提供することを含む。光源のエネルギースペクトルが所望するＬＥＤの色より高エネルギーの光を含むように第１の光源１０が選択されることが望ましい。第１の光源は、量子ドットの集団１４を含むホストマトリックス１２を照射するために配置される。ホストマトリックス１２は、量子ドットが配置できて可視光線に対して少なくとも部分的に透明などのような材料でもよく、適切なホストマトリックスが以下で議論される。ホストマトリックス１２は分離された量子ドット１４の分散を含むことが望ましく、ドットは所定の色の光を生成するように選択されたサイズである。（例えば、ポリマオーバーコーティングを有する基質上の２次元の層のような）ホストマトリックス中に配置された量子ドットの他の形状もまた、本発明の範囲内で考えられる。選択された色の非常に狭いスペクトル分布内で明るく蛍光を発するドットを生産するための技術が以下で議論され、１９９７年１１月１３日に出願された米国特許出願第０８／９６９，３０２号「Highly Luminescent Color Selective Marerials」でも開示されており、前記出願の技術は本明細書でも参照される。その技術は、最終的なＬＥＤの特に細かい色調節を可能にする。しかし、量子ドットを生産しホストマトリックス中に配置するための他の技術も、本発明の範囲内に含まれる。
【００２３】
第１の光源１０及び量子ドット１２のサイズ分布は、デバイスから放出される発光が所望する色であるような方法で選択される。本発明は多数の量子ドットで構成され、それにより実質的に第１の光源からの全ての光が吸収され、最終的に放出される発光は量子ドットの光ルミネセンスによってのみ生成されるか、本発明は少数の量子ドットで構成され、それによりデバイスから出てくる光は、吸収されていない第１の光及び量子ドットの光ルミネセンスにより生成された第２の光の混合から成る。単色及び混合色双方の非常に広い範囲は、本発明の原理により構成されるデバイスにより生成できる。例えば、セレン化カドミウム量子ドットが生産でき、それは人間に対して可視であるどのような色も放出するので、所望する色の最高周波数より高い周波数源と組み合わせて、これらのドットがどのようなスペクトル分布の可視光線でも生成するように調整できる。図３は、米国特許出願第０８／９６９，３０２号の方法により作られたＣｄＳｅ量子ドットのいくつかのサスペンションを示し、これらの材料の光ルミネセンスを使用して実現できる非常に広い範囲の色を図示する。これら溶液中の光ルミネセンスのピークは、（左から右へ）（ａ）４７０ナノメートル、（ｂ）４８０ナノメートル、（ｃ）５２０ナノメートル、（ｄ）５６０ナノメートル、（ｅ）５９４ナノメートル、及び（ｆ）６２０ナノメートルである。溶液は、３５６ナノメートルの紫外線光を放出する紫外線ランプにより光を当てられる。
【００２４】
デバイスが混合色の光を放出する傾向があるときは特に、ホストマトリックスの内部で各ドットが分離されることが望ましい。異なるサイズの量子ドットがぴったり接触するとき、（低周波放出特性を有する）より大きいドットは、より小さいドットの放出の大きい部分を吸収する傾向があり、ダイオードの全エネルギー効率は減少し、色は赤色の方向にシフトする。
【００２５】
白色ＬＥＤの特定の実施例に対して、そのようなＬＥＤは、複数サイズの光ルミネセンス量子ドットと標準的な青色ＬＥＤの配合の組合せにより生産できる。図１を参照すると、（例えば、ＡｌＧａＩｎＮ型の）青色ＬＥＤ１０は、第１の光を提供するために使用される。この光は１つ又は複数の量子ドット層を貫通し、これらの層は、青色ＬＥＤより低いエネルギー範囲で発光するように適合され、一般にポリママトリックスに埋め込まれた量子ドットを含む。図１に示される実施例では、第１の光は、緑色の第２の光を放出するように適合された材料及びサイズの量子ドット１８の層１６を最初に貫通する。次に、第１の層により吸収されなかった第１の光及び第２の光は、赤色の第２の光を放出するように適合された材料及びサイズの量子ドット２２の第２の層２０を貫通する。いったん光がこの第２の層を貫通したら、光は吸収されていない青色の第１の光、緑色の第２の光、及び赤色の第２の光の混合から構成され、従って、観測者には白色に見える。所望する色のＬＥＤを生産するために、光の赤色、緑色、及び青色成分の相対的な振幅は、赤色及び緑色層の厚さ及び量子ドット濃度を変化させることにより制御できる。
【００２６】
他の好ましい実施例では、図２に示されるように、赤色放出量子ドット２２及び緑色放出量子ドット１８が、単一層１２内部で混合できる。色は、異なるサイズの量子ドットの相対的な濃度、及び層の厚さを変化させることにより制御できる。
【００２７】
更に他の実施例では、第１の光源は、半導体レーザ又は微細加工された紫外線源のような半導体紫線源又は紫外線源でもよい。この実施例では、１つまたは複数の量子ドット層は、赤色から紫色に及ぶスペクトル域で放出する量子ドットを含む。量子ドットのサイズ分布を制御することにより、結果として生じる光のスペクトル分布が制御できる。
【００２８】
白色ＬＥＤではない特定の色のＬＥＤを生産することを所望するとき、これもまた本発明の実施により実現できる。本発明は（従来の方法によっては生産が困難な）多色光（混合色）を生成するＬＥＤの生産に対して特に有用であることを期待されているが、単色光（単色）を生成するＬＥＤもまた本発明の実施により生産できる。単色でも混合色でも、大部分の可視色のＬＥＤを生産するために実質的に同じ設備が必要なので、生産の容易性という目的に対してこのことは望ましい。
【００２９】
人間の眼による色の知覚はよくわかっており、所望する混合色を生成するために単色を混合するための決まったやり方は多くのハンドブックで見つけられる。量子ドットの特定のサイズ及び成分により生成された光の色もまた、当業者には明らかな方法により容易に計算又は測定できる。これらの測定が教示する例として、１２オングストロームから１１５オングストロームに及ぶサイズのＣｄＳｅの量子ドットに対するバンドギャップがMurray他の「J. Am. Chem. Soc. 115:8706 (1993)」で開示されており、本明細書でも参照される。これらの技術は、所望する色のＬＥＤを生産するためにドットの適切なサイズ分布の容易な計算及び第１の光源の選択を可能にする。
【００３０】
白色ダイオードが所望されるとき、量子ドットサイズの適切な混合が使用できる。例えば、スペクトル分布を黒体分布と一致するように調整することにより、観測者に「純粋に」見える白色光が実現できる。
【００３１】
上記のＡｌＧａＩｎＮ青色ＬＥＤのような着色ＬＥＤが第１の光源として使用されるとき、量子ドットの濃度しだいで、ＬＥＤの色は本発明によるデバイスにより生成された最終的なスペクトルに含まれても含まれなくてもよい。もし、十分多くの数の量子ドットが提供されたら、ドットは実質的に第１の光の全てを吸収し、ドットの特有な色の第２の光だけが観測される。もし、更に少ない数の量子ドットが提供されたら、著しい量の第１の光がドットにより放出された第２の光と混合される。
【００３２】
ホストマトリックスは一般にポリマ、シリカグラス、又はシリカゲルであるが、少なくともある程度は量子ドットにより放出された光に対して透明で、量子ドットが分散される材料がホストマトリックスとして役に立つ。光ルミネセンスではなく、量子ドットのエレクトロルミネセンスをベースにした発光ダイオードと比較した本発明の利点は、ホストマトリックスが導電性である必要がないことである。エレクトロルミネセンス量子ドットＬＥＤは、ホストマトリックスとして役に立つために透明な導電性材料を必要とする。そのような材料は、本発明で使用するのに利用可能な非常に多くの透明な絶縁材料と比較して稀である。ここで記載されるデバイスに対して適切なホストマトリックス材料は、ポリスチレン、エポキシ、ポリイミド、及びシリカグラスのような安価で一般に利用可能な多くの材料を含む。
【００３３】
本発明の更なる利点は、単色光及び混合色光双方を実現するための量子ドットの多くの集団の使用により与えられた生産の柔軟性である。モノマ又は他の前駆物質材料中に浮遊されるドットの異なるサイズの「ストック」溶液が維持されることができ、所望する色の殆どを生成するために変化量で混合される。例えば、スチレンのような液体モノマ中のＣｄＳｅ量子ドットの３つのサスペンションが生成でき、ドットの第１のサスペンションは直径およそ５．５ナノメートル（赤色で発光する）であり、ドットの第２のサスペンションは直径およそ４．０ナノメートル（緑色で発光する）であり、ドットの第３のサスペンションは直径およそ２．３ナノメートル（青色で発光する）である。これらのサスペンションは、これら３つのサスペンションの変化量を混合して生成された混合物を重合することにより「光ペイント」の一種として機能し、非常に広範囲の色のＬＥＤが、出発原料だけを変化させることと同じ生産技術を使用して生産できる。
【００３４】
コロイド的に生産されたドットを、凝縮なしにホストマトリックス中でドットを分散させることを可能にするコーティングで被覆することが必要であることが通常は分かる。重合マトリックス中での分散の場合、（ドットに結合したオリゴマの端部にルイス塩基を有する）ポリマに関連するオリゴマは、ドットを重合のためのモノマ溶液と上手く混合することを可能にすることがわかる。このタイプのコーティングの特定のケースが実施例にある。シリカグラス又はシリカゲル中への分散の場合、一端をドットに結合し、他端がマトリックスに対する親和性を有するどのようなオーバーコーティングでも使用できる。
【００３５】
量子ドットを生産する多くの方法が、この技術分野で既知である。所望する色で発光する量子ドットを生産するどのような方法も本発明の実施で使用できるが、米国特許出願第０８／９６９，３０２号に記載された特定の方法が、優れた輝度調節及び色調節を用いてデバイスを生産できることがわかる。前記出願は、ＣｄＳ、ＣｄＳｅ、又はＺｎＳを有するＣｄＴｅ、ＺｎＳｅ、又はそれらの混合物から成るドットをオーバーコーティングする方法を開示する。オーバーコーティングの前に、量子ドットが実質的に単分散サイズ分布をもたらす方法で準備され、その方法はMurray他の「J. Am. Chem. Soc. 115:8706 (1993)」に記載されている。制御された厚さの保護膜は、コーティング層の成長の持続時間及び温度を制御することにより塗布される。コアドットの単分散はドットが実質的に単色で発光することを保証し、同時に保護膜は大きく改善された量子効率を提供し、ドットがコーティングされていないドットよりも高輝度で発光することを可能にする。
【００３６】
上記の方法は量子ドットいくつかの別々の集団を準備するために使用することができ、各集団は異なる単色の光ルミネセンスを示す。そのように準備された集団を混合することにより、（白色を含む）所望する混合色で発光するデバイスが生成される。ドット上のオーバーコーティングは、デバイスがコーティングされていないドットを使用して発生し得る光より高輝度の光を生成することを可能にする。
【００３７】
［実施例１−ポリスチレン中の量子ドット］
緑色ＬＥＤは、上記本発明の原理により構成されてきた。このダイオードを構成するために使用される量子ドットは、ＣｄＳｅコア及びＺｎＳシェルから成る。量子ドットの吸収特性及び発光特性は、第１にＣｄＳｅコアのサイズにより決定される。ＺｎＳシェルは、電子及びホールをコアの中に閉じ込め、量子ドット表面を電気的かつ化学的に保護するために作用する。コア及びシェル双方は、高温の有機液体に加えられた前駆物質からのＣｄＳｅ又はＺｎＳ生成を含む湿式化学技術を使用して合成される。
【００３８】
［ＣｄＳｅコア合成］
１６ｍＬのトリオクチルホスフィン（ＴＯＰ）、ＴＯＰ中の４ｍＬの１Ｍセレン化トリオクチルホスフィン（ＴＯＰＳｅ）、及び０．２ｍＬのジメチルカドミウムが、不活性雰囲気（グローブボックスに充填された窒素）中で混合された。３０ｇの酸化トリオクチルホスフィン（ＴＯＰＯ）が１８０℃の真空のもとで１時間にわたって乾燥され、次に３５０℃の窒素のもとで加熱される。次に前駆物質溶液がＴＯＰＯ中に注入される。温度は直ちに約２６０℃まで下がり、ＣｄＳｅナノクリスタルが直ちに形成される。注入直後のナノクリスタルの吸収ピークは、約４７０ナノメートルであることがわかった。温度は約１０〜１５分の間２５０〜２６０℃に保持され、ナノクリスタルが成長することを可能にする。この時間の間、吸収ピークは４７０ナノメートルから４９０ナノメートルへシフトする。次にこの温度は８０℃まで下がり、窒素のもとで溶液中で保持される。熱は除去され、ＴＯＰＯが室温まで冷却されたときにＴＯＰＯの凝固を防ぐために、約１５ｍＬのブタノールが加えられる。このプロセスは、２．７ｘ１０-3ｍｏｌ（２．７ｍｍｏｌ）のＣｄＳｅ量子ドットを生成した。
【００３９】
ＣｄＳｅナノクリスタルのＵＶ−Ｖｉｓ吸収スペクトルは、１４ナノメートルのピークの赤色側で測定された半値半幅（ＨＷＨＭ）で、４８６ナノメートルにおいて第１の遷移ピークを示す。この吸収ピークは、１３オングストロームのナノクリスタル半径に対応する。実際のサイズ分布は、小さい角度のＸ線散乱又はＴＥＭによって実験的に決定できる。吸収スペクトルは、サイズ分布の大体の概算を提供する。１４ナノメートルのＨＷＨＭは、約１オングストロームのサイズのＨＷＨＭを提示した。
【００４０】
［ＺｎＳシェル合成］
５分の１（０．５ｍｍｏｌ）のＣｄＳｅコア成長溶液（１５ｍＬ）が、被覆された量子ドットの生成に使用された。４０〜５０ｍＬのメタノールをゆっくり加えることにより、ナノクリスタルが溶液の外部に析出した。次に析出はヘキサン中で再分散され、０．２マイクロメートルのフィルタ紙で濾過される。４０ｇのＴＯＰＯは上記のように乾燥され、次に８０℃まで冷却される。ヘキサン中のナノクリスタルはＴＯＰＯ中に注入され、ヘキサンが２時間にわたって真空のもとで蒸発させられた。次に、４ｍＬのＴＯＰを混合することにより、ＺｎＳ前駆物質溶液が不活性雰囲気中で準備された。０．２８ｍＬのジエチル亜鉛、及び０．５６ｍＬのビス−トリメチルシリルが、（ＴＭＳ）2Ｓを硫化する。前駆物質の量は厚さ約９オングストロームのＺｎＳシェルを生成するように選択され、９オングストロームは２．３オングストローム／単分子層での４単分子層に対応する。次に、ナノクリスタル／ＴＯＰＯ溶液は１４０℃まで加熱され、前駆物質溶液は４分間にわたってゆっくりと滴り落ちた。次に温度が１００℃まで下がり、少なくとも２時間にわたって保持された。熱が除去され、ＴＯＰＯの凝固を防ぐためにブタノールが加えられた。
【００４１】
被覆された量子ドットのＵＶ−Ｖｉｓ吸収スペクトルは、２０ナノメートルのピークの赤色側で測定されたＨＷＨＭで、５０４ナノメートルにおける第１の遷移ピークを示した。光ルミネセンスピークは、５５０ナノメートルであった。
【００４２】
［ポリマ中での量子ドットの分散］
次に、これらの量子ドットは、ポリ（スチレン）中で分散する。上記のように生成されたＴＯＰＯ溶液中の５分の１（０．１ｍｍｏｌのＣｄＳｅ）の量子ドットが取り出された。量子ドットは析出させられ、次に上記のようにヘキサン中で分散した。次にヘキサン溶液中の５分の１（０．０２ｍｍｏｌのＣｄＳｅ）の量子ドットが取り出され、真空の元でヘキサンが蒸発した。量子ドットが０．１ｍＬのトルエン中で再分散された。０．０５ｇのＮ官能化アミン末端ポリスチレン（分子量＝２６００）が、０．２ｍＬのトルエン中で溶解された。量子ドット（０．０１ｍｍｏｌのＣｄＳｅ）及び０．０５ｍＬの官能化されたポリスチレンをトルエン（約０．０１ｇ）中に含む０．０５ｍＬのトルエン溶液が混合され、約１０分にわたって超音波処理された。１ｍＬのトルエン中に１ｇのポリスチレン（分子量＝４５，０００）の溶液が準備された。０．１ｍＬのこの濃縮されたポリスチレン溶液（約０．０５ｇのポリスチレン）が、量子ドット／官能化されたポリスチレン溶液に加えられた。ドット及びポリスチレンを徹底的に混合するために、結果として生成した溶液が２分間にわたって超音波処理された。
【００４３】
［ダイオードの製作］
第１の光源として使用される青色ダイオードはＧａＮをベースにしており、４５０ナノメートルにおいて発光ピークを有した。ガラスキャップは短くされた、壁厚が薄いＮＭＲチューブ（外径＝５ｍｍ、内径＝４．３ｍｍ、長さ＝３／１６インチ）であった。ガラスキャップはドット／ポリマ溶液で充填され、２時間以上にわたって流体窒素のもとで乾燥されることを可能にする。必要なときにより多くのドット／ポリマ溶液を加えて乾燥できるが、このダイオードには１つの充填及び乾燥のステップだけが必要であった。乾燥したとき、ポリマはキャップのベースにボイド（ｖｏｉｄ）を残した。青色ダイオードの放出部分は、キャップのベースにおけるこのボイドに配置される。ポリマ自体は、ダイオードと接触しなかった。緑色光はＧａＮをベースにしたダイオードからの青色光が量子ドットを含むポリマを貫通したときに生成され、量子ドットを５５０ナノメートルで発光させた。５５０ナノメートルの光は、ダイオードを緑色に見えさせた。
【００４４】
［実施例２−エポキシ中の量子ドット］
１４オングストロームのコア半径を有するＣｄＳｅ／ＺｎＳ量子ドットが、実施例１で記載したように準備された。ＴＯＰＯ溶液中の２．５ｘ１０-3ｍｍｏｌのドットが取り出され、ドットは析出し、メタノールで２回洗浄された。次にドットは、０．２７ｍＬ（２ｍｍｏｌ）のキャッピングモノマ（６−メルカプトヘキサノール）中で再分散した。キャッピングモノマ中で量子ドットを効率的に分散させるために、溶液は最初に約１０分間超音波処理され、次に５０〜６０℃で２分間かき混ぜられた。
【００４５】
次に、量子ドット溶液は、エポキシドモノマと更に反応した。０．５６ｍＬ（２ｍｍｏｌ）のポリ［｛フェニル  グリシジルエーテル）−コ−ホルムアルデヒド］（数平均分子量＝３４５）及び０．０８ｍＬ（０．８ｍｍｏｌ）のジエチルトリアミンが６−メルカプトヘキサノール溶液に加えられた。結果として生成した混合物は徹底的に混合され、外径６ｍｍ、長さ５０ｍｍを有するガラス管の中に配置された。混合の間に形成された泡が、１０分間の超音波処理により除去された。次に、モノマ混合物を含むガラス管が、２時間にわたって油槽中で７０℃まで加熱され、その中に供給された量子ドットで高分子エポキシを形成した。この形成された成分は、緑色ＬＥＤを作るために、第１の光源を用いて、実施例１に記載したように使用できる。
【００４６】
以上、本発明の好ましい実施例について図示し記載したが、特許請求の範囲によって定められる本発明の範囲から逸脱することなしに種々の変形および変更がなし得ることは、当業者には明らかであろう。
【符号の説明】
【００４７】
１０  光源
１２  ホストマトリックス
１４、１８、２２  量子ドット
１６、２０  層
【図１】
2014160863.tif 000003
【図２】
2014160863.tif 000004
【図３】
2014160863.tif 000005